(57)【特許請求の範囲】
【請求項１】
アナログチューナ及びアナログ信号処理部と、デジタルチューナ及びデジタル信号処理部と、を備え、アナログとデジタルとの少なくとも２画面表示が可能なアナログ/デジタルテレビジョン受像機であって、
デジタル入力の波形と周波数とをアナログ放送波の波形と周波数に変換する波形/周波数変換部と、
アナログ入力を、直接に前記アナログチューナに入力させて前記アナログ信号処理部に出力するか、或いは、前記波形/周波数変換部を介して前記アナログ信号処理部に出力するかに関する切り替えを行なう切り替えスイッチと
を有することを特徴とするアナログ/デジタルテレビジョン受像機。
【請求項２】
前記波形/周波数変換部は、入力側から順番に、デジタル放送波復調処理部と、デコード部と、アナログ放送波変調処理部と、周波数変換部と、を有していることを特徴とする請求項１記載のアナログ/デジタルテレビジョン受像機。
【請求項３】
アナログ放送の停波時に、前記スイッチの切り替え制御が行なわれることを特徴とする請求項１または２に記載のアナログ/デジタルテレビジョン受像機。
【請求項４】
アナログ停波後に、現在のデジタルのチャネルが元のアナログ放送と同じチャネルに割り当てられるように変換するチャネル変換部を備えることを特徴とする請求項１から３までのいずれか１項に記載のアナログ/デジタルテレビジョン受像機。
【請求項５】
さらに、他の機器への出力として、アナログ放送停波前後における前記切り替えスイッチによる切り替えにより、
アナログ放送停波後に、裏番組のデジタル放送波をアナログ放送波に変換したデジタル放送を他の機器への出力とする制御を行なうことを特徴とする請求項１から４までのいずれか１項に記載のアナログ/デジタルテレビジョン受像機。
【発明の詳細な説明】
【技術分野】
【０００１】
本発明は、アナログ放送とデジタル放送とを視聴可能な受信機に関し、特に、２画面表示が可能な受信機に関する。
【背景技術】
【０００２】
テレビジョン受像機には、アナログチューナとデジタルチューナとを備えたものがある。図５に示すように、このようなテレビジョン受像機Ｘは、アンテナ１０１と、アナログ用入力１０３ａと、スルーアウト１０３ｂと、デジタル用入力１０７ａと、アナログチューナ１０３と、デジタルチューナ１０７と、アナログ信号処理部１０５と、デジタル信号処理部１１１と、映像信号処理部１１５と、画像表示部１１７と、音声再生部１２１と、制御部１２３と、を有している。
【０００３】
現在、アナログ放送からデジタル放送への移行時期になっており、アナログ放送とデジタル放送とを例えば２画面のそれぞれにおいて視聴可能なテレビジョン受像機が提供されている。一般的には、アナログ放送停波後も放送波で２画面表示を実現するためには、図５に示すように、デジタル放送受信用回路を２系統持つことで対応を行なうことができる。関連する技術としては、狭域通信又は広域通信のいずれであっても、通信不成立を防止することができる車載用通信装置を提供する技術が提案されている（特許文献１参照）。
【特許文献１】特開２００４−２４８１４０号公報
【発明の開示】
【発明が解決しようとする課題】
【０００４】
しかしながら、デジタル放送受信用回路を２系統持つ方法では、アナログ放送波停波後は、アナログ放送の視聴ができなくなる。よって、テレビ受信機がデジタル放送とアナログ放送の２つのチャンネルを２画面表示させたときに、アナログ放送の表示ができないことになる。また、アナログ放送を録画出力端子から出力させた場合も、アナログ放送は放送されていないことから映像は出力されない。テレビとして、２画面表示や録画出力というような従来は使えていた機能が使えなくなりユーザにとって大きなデメリットとなるという問題がある。
【０００５】
図６は、図５に示す装置において、アナログ放送波停波前後における２画面表示の様子を示す図である。図６（Ａ）に示すように、画面１３１には、アナログ放送表示１３３とデジタル放送表示１３５とが表示されている。アナログ放送波停波後は、デジタル放送表示１３５ａは表示されるが、アナログ放送表示１３３ａは表示されないことになる。また、図６（Ｂ）に示すように、録画出力に関して、アナログ放送視聴時は任意のデジタル放送出力が可能であり、デジタル放送視聴時は任意のアナログ放送出力が可能であるのに対して、アナログ放送波停波後は、デジタル放送の視聴番組の出力のみが可能となり、アナログ放送は不可となってしまう。
【０００６】
本発明は、アナログ放送波停波後においても２画面表示や録画出力を可能とする技術を提供することを目的とする。
【課題を解決するための手段】
【０００７】
本発明によれば、テレビセット内にアナログ放送停波後、受信したデジタル放送波からアナログ放送波に変換する機能と、従来のアンテナ線からの放送波入力とは別に放送波を入力する手段と放送波入力の前段に放送波の切り替え手段をもつアナログ放送用チューナを有する。
【０００８】
本発明の一観点によれば、アナログチューナ及びアナログ信号処理部と、デジタルチューナ及びデジタル信号処理部と、を備え、アナログとデジタルとの少なくとも２画面表示が可能なアナログ/デジタルテレビジョン受像機であって、デジタル入力の波形と周波数とを変換する波形/周波数変換部と、アナログ入力を、直接に前記アナログチューナに入力させて前記アナログ信号処理部に出力するか、或いは、前記波形/周波数変換部を介して前記アナログ信号処理部に出力するかに関する切り替えを行なう切り替えスイッチとを有することを特徴とするアナログ/デジタルテレビジョン受像機が提供される。
【０００９】
前記切り替えスイッチは、従来処理を行なうか、或いは、波形/周波数変換部を介してアナログ信号をアナログ信号処理部に対して出力するかの切り替えを行なう。
【００１０】
前記波形/周波数変換部は、デジタル放送波をアナログ放送波に変換し、アナログ放送波を従来の周波数に変換する処理を行なうことが好ましい。波形/周波数変換部により、デジタル放送波をアナログ放送波に変換し、アナログ放送波を従来の周波数に変換する。デジタル放送波からアナログ放送波を生成し、外部からアナログチューナに入力することで、デジタル放送でありながら従来のアナログ放送波と同様に扱うことができ、これにより、アナログ放送停波後はデジタル放送をアナログ変換して画面表示をさせることが可能になる。
【００１１】
前記波形/周波数変換部は、入力側から順番に、デジタル放送波復調処理部と、デコード部と、アナログ放送波変調処理部と、周波数変換部と、を有していることが好ましい。デジタル放送波をアナログ放送波に変換し、アナログ放送波を従来の周波数に変換する。デジタル放送波からアナログ放送波を生成し、外部からアナログチューナに入力することで、デジタル放送でありながら従来のアナログ放送波と同様に扱うことができ、これにより、アナログ放送停波後はデジタル放送をアナログ変換して画面表示をさせることが可能になる。アナログ放送の停波時に、前記スイッチの切り替え制御が行なわれることが好ましい。
【００１２】
アナログ停波後に、現在のデジタルのチャネルが元のアナログ放送と同じチャネルに割り当てられるように変換するチャネル変換部を備えることが好ましい。これにより、アナログ停波後であっても、チャネルに関するユーザの混乱を未然に防止することができる。
【００１３】
さらに、他の機器への出力として、アナログ放送停波前後における前記切り替えスイッチによる切り替えにより、アナログ放送停波後に、裏番組のデジタル放送波をアナログ放送波に変換したデジタル放送を他の機器への出力とする制御を行なうこともできる。アナログ放送停波前は、視聴番組の出力が可能であり、アナログ放送視聴時は、任意のデジタル放送出力が可能、デジタル放送視聴時は、任意のアナログ放送出力が可能である。
【発明の効果】
【００１４】
本発明によれば、デジタル放送波からアナログ放送波を生成し、アナログチューナの前段から入力することにより、外部に機器を必要とせず、アンテナ配線もそのままでアナログ放送停波後も従来どおり２画面表示や録画出力が可能となる。従って、テレビ受信機としての商品価値を保持して使用することができる。
【発明を実施するための最良の形態】
【００１５】
以下に、本発明の一実施の形態によるアナログ/デジタル放送受信機について図面を参照しながら説明を行なう。図１は、本実施の形態によるアナログ/デジタル放送受信機の一構成例を示す機能ブロック図である。図２は、図１の波形/周波数変換部の一構成例を示す機能ブロック図である。図３は、本実施の形態による表示と録画出力とのイメージ図であり、アナログ放送が停止した前後の例を示す図である。図４は、アナログ放送が停止する前後におけるチャネルの変換の様子を示す図である。
【００１６】
図１に示すように、本実施の形態によるテレビジョン受像機Ａは、アンテナ１と、アナログ用入力３ａと、スルーアウト３ｂと、デジタル用入力７ａと、アナログチューナ３と、デジタルチューナ７と、アナログ信号処理部５と、デジタル信号処理部１１と、映像信号処理部１５と、画像表示部１７と、音声再生部２１と、制御部２３と、を有している。この構成は、図５に示す構成と同様である。但し、本実施の形態によるテレビジョン受像機Ａは、アナログチューナ３に切り替えスイッチ２と波形/周波数変換部３ｃとを有している点に特徴がある。
【００１７】
切り替えスイッチ２は、図５に示す従来処理（アナログ信号をアナログ信号処理部５に対して出力する処理）を行なうか、或いは、デジタル信号を波形/周波数変換部３ｃを介してアナログ信号処理部５に対して出力するかの切り替えを行なう。
【００１８】
図２に示すように、波形/周波数変換部３ｃは、デジタル放送波復調処理部３１と、デコード部３３と、アナログ放送波変調処理部３５と、周波数変換部３７と、を有している。アンテナ１から取得したデジタル信号に関して、デジタル放送波復調処理部３１においてデジタル信号の復調処理が行なわれ、復調されたデジタル信号がデコード部３３においてデコード処理され、デコード処理されたデジタル信号はアナログ放送波変調処理部３５においてアナログ波への波形変調処理が行なわれ、このアナログ波に関して、アナログチューナ３で従来処理において行なわれていた周波数と同じ周波数で選局処理が行なわれるように周波数変換部３７で周波数変換が行なわれる。
【００１９】
図３は、図６に対応する図である。図３（Ａ）に示すように、アナログ放送停波前は、表示画面４１にはアナログ放送表示４３とデジタル放送表示４５とが従来と同様に表示されている。アナログ放送停波後は、スイッチを切り替えることにより、表示画面４１には、図２の波形/周波数変換部３ｃで行なわれた変換によって従来と同様のアナログ波形と選局周波数とを有するアナログ信号に変換され、あたかもアナログ放送が行なわれていた場合と同じように放送番組を表示することができる。これにより、デジタル放送に基づくアナログ放送表示４３ａとデジタル放送表示４５ａとを２画面表示することができる。
【００２０】
また、図３（Ｂ）に示すように、ＴＶ５１からＶＣＲ/ＨＤＤレコーダ等５３への録画出力は、アナログ放送停波前は、視聴番組の出力が可能であり、アナログ放送視聴時は、任意のデジタル放送出力が可能、デジタル放送視聴時は、任意のアナログ放送出力が可能である。アナログ放送停波後は、録画出力は、視聴番組の出力が可能であり、例えば裏番組のデジタル放送波をアナログ放送波に変換したデジタル放送のＴＶ５１ａからＶＣＲ/ＨＤＤレコーダ等５３ａへの送出力が可能となる。
【００２１】
このように、アナログ放送停波後、デジタル放送波からアナログ放送波を生成し、外部からアナログチューナに入力することで、デジタル放送でありながら従来のアナログ放送波と同様に扱うことができ従来どおり２画面表示や録画出力が可能となるという利点がある。
【００２２】
図４（Ａ）はアナログの現在の首都圏におけるチャネルプランであり、図４（Ｂ）の上図は現在のデジタルのチャネルプランである。アナログ停波後には、現在のデジタルのチャネルが矢印で示されるように元のアナログ放送（図４（Ａ））と同じチャネルに割り当てられるように変換するのが好ましい。これにより、アナログ停波後であっても、チャネルに関するユーザの混乱を未然に防止することができいという利点がある。
【００２３】
尚、上記実施の形態においては、アナログとデジタルとの２画面が可能なテレビジョン受像機を例にして説明したが、本発明には、Ｎ画面表示（Ｎは２以上の整数）が可能なテレビジョン受像機も含まれることは言うまでもない。
【産業上の利用可能性】
【００２４】
本発明は、アナログ/デジタル２画面表示可能なテレビジョン装置に利用可能である。
【図面の簡単な説明】
【００２５】
【図１】本発明の一実施の形態によるアナログ/デジタル放送受信機の一構成例を示す機能ブロック図である。
【図２】図１の波形/周波数変換部の一構成例を示す機能ブロック図である。
【図３】本実施の形態による表示と録画出力とのイメージ図であり、アナログ放送が停止した前後の例を示す図である。
【図４】アナログ放送が停止する前後におけるチャネルの変換の様子を示す図である。
【図５】一般的なアナログ/デジタル放送受信機の一構成例を示す機能ブロック図である。
【図６】図５に示すアナログ/デジタル放送受信機による表示と録画出力とのイメージ図であり、アナログ放送が停止した前後の例を示す図である。
【符号の説明】
【００２６】
Ａ…テレビジョン受像機、１…アンテナ、３…アナログチューナ、３ａ…アナログ用入力、３ｂ…スルーアウト、３ｃ…波形/周波数変換部、５…アナログ信号処理部、７…デジタルチューナ、７ａ…デジタル用入力、１１…デジタル信号処理部、１５…映像信号処理部、１７…画像表示部、２１…音声再生部、２３…制御部、３１…デジタル放送波復調処理部、３３…デコード部、３５…アナログ放送波変調処理部、３７…周波数変換部。
【図１】
0004551876.tif 000002
【図２】
0004551876.tif 000003
【図３】
0004551876.tif 000004
【図４】
0004551876.tif 000005
【図５】
0004551876.tif 000006
【図６】
0004551876.tif 000007